(57)【特許請求の範囲】
【請求項１】
外壁を支持する一対の柱材の屋内側に固定具をそれぞれ設け、当該固定具の間に予め断熱材が取り付けられた内壁枠をはめ込んで、前記固定具に前記内壁枠の側端部を固定する際に用いられる内壁枠取付冶具であって、
前記柱材の屋内側に平行に保持される長手形状であり、前記固定具を挟んで前記内壁枠が設けられる側と反対側の位置において前記柱材に当接する本体部と、前記本体部から前記内壁枠側に延出しており、前記固定具の屋内側を覆うカバー体とを備えることを特徴とする内壁枠取付冶具。
【請求項２】
前記カバー体は、前記内壁枠が設けられる側が屋外方向に接近するように傾斜する傾斜面を有することを特徴とする請求項１に記載の内壁枠取付冶具。
【請求項３】
前記柱材は鋼材であって、
前記本体部の前記柱材に当接する面には、磁石を有することを特徴とする請求項１又は請求項２に記載の内壁枠取付冶具。
【請求項４】
前記本体部は、前記内壁枠側と反対側に作業者が把持可能な把持部を有することを特徴とする請求項１から請求項３のいずれかに記載の内壁枠取付冶具。
【請求項５】
前記固定具は、前記柱材に沿って複数設けられており、
前記カバー体は、複数の前記固定具を一度に覆うことができる長さを有することを特徴とする請求項１から請求項４のいずれかに記載の内壁枠取付冶具。
【発明の詳細な説明】
【技術分野】
【０００１】
本発明は、外壁を支持する柱材の間にはめ込んで固定される内壁枠を固定する際に用いる内壁枠取付冶具に関する。
【背景技術】
【０００２】
住宅等の建物の外壁を支持する一対の柱材の屋内側には、従来より、予め断熱材が枠内に取り付けられており、内壁の下地材を支持する内壁枠が固定具によって固定されてている。固定具は、柱材の屋内側の面に当接して固定される金具本体と金具本体から屋内方向に延びるボルトとを備えており、ボルトの屋内側の先端に設けられた押さえプレートと、金具本体とで、内壁枠の側端部を挟み込んで、内壁枠を柱材の屋内側に固定している。
【先行技術文献】
【特許文献】
【０００３】
【特許文献１】特開２０１２−３１６１１号
【発明の概要】
【発明が解決しようとする課題】
【０００４】
ところで、内壁枠に取り付けられる断熱材は、一部が内壁枠の枠内からはみ出して設けられている。そのため、柱材に内壁枠を固定する際には、断熱材が固定具に干渉することとなる。そこで、断熱材の損傷を防ぐために、作業者は、固定具が取り付けられている位置の断熱材を手で押さえながら、内壁枠の取り付け作業をする必要があり、非常に手間がかかっていた。また、固定具は、ひとつの柱材に上下に間隔を開けて複数設けられており、同時に複数の固定具が取り付けられている位置の断熱材を押さえながら作業することは困難である。さらに、上部の固定具が取り付けられている位置の断熱材を押さえる場合には脚立に乗って作業する必要があり、下部の固定具が取り付けられている位置の断熱材を押さえる場合には屈み込んでだ行する必要があるので、作業者に負担となっていた。
【０００５】
そこで、本発明は、内壁枠に取り付けられている断熱材が固定具と干渉することを防ぐことができ、内壁枠を柱材に取り付ける作業を容易にすることができる内壁枠取付冶具を提供することを目的とする。
【課題を解決するための手段】
【０００６】
請求項１に記載の内壁枠取付冶具は、外壁を支持する一対の柱材の屋内側に固定具をそれぞれ設け、当該固定具の間に予め断熱材が取り付けられた内壁枠をはめ込んで、前記固定具に前記内壁枠の側端部を固定する際に用いられる内壁枠取付冶具であって、前記柱材の屋内側に平行に保持される長手形状であり、前記固定具を挟んで前記内壁枠が設けられる側と反対側の位置において前記柱材に当接する本体部と、前記本体部から前記内壁枠側に延出しており、前記固定具の屋内側を覆うカバー体とを備えることを特徴としている。
【０００７】
請求項２に記載の内壁枠取付冶具は、前記カバー体は、前記内壁枠が設けられる側が屋外方向に接近するように傾斜する傾斜面を有することを特徴としている。
【０００８】
請求項３に記載の内壁枠取付冶具は、前記柱材は鋼材であって、前記本体部の前記柱材に当接する面には、磁石を有することを特徴としている。
【０００９】
請求項４に記載の内壁枠取付冶具は、前記本体部は、前記内壁枠側と反対側に作業者が把持可能な把持部を有することを特徴としている。
【００１０】
請求項５に記載の内壁枠取付冶具は、前記固定具は、前記柱材に沿って複数設けられており、前記カバー体は、複数の前記固定具を一度に覆うことができる長さを有することを特徴としている。
【発明の効果】
【００１１】
請求項１に記載の内壁枠取付冶具によると、本体部が、固定具を挟んで内壁枠と反対側において柱材に本体部が当接し、カバー体が、本体部から内壁枠側に延出しており、固定具の屋内側を覆っているので、このカバー体によって、内壁枠に取り付けられた断熱材が、固定具に接触することを防ぐことができ、断熱材が損傷することなく、内壁枠を固定具に取り付けることができる。
【００１２】
請求項２に記載の内壁枠取付冶具によると、カバー体の内壁枠側が屋外方向に接近するように傾斜する傾斜面を有しているので、内壁枠を固定具の間にはめ込む作業の際に、傾斜面がガイドとなってより容易に内壁枠を固定具の間にはめ込むことができる。そして、内壁枠からはみ出ている断熱材は、傾斜面によって内壁枠の枠内方向に抑えられるので、作業者が手で断熱材を押さえることなく、内壁枠を固定具の間にはめ込んで固定することができる。
【００１３】
請求項３に記載の内壁枠取付冶具によると、柱材が鋼材であって、内壁枠取付冶具の本体部の柱材に当接する面には、磁石を有しているので、磁力により本体部を柱材に当接させた状態を維持することができ、作業者の負担を軽減できる。
【００１４】
請求項４に記載の内壁枠取付冶具によると、本体部の内壁枠側と逆側に作業者が把持可能な把持部を有するので、作業者が把持部を持って作業することで、内壁枠や固定具に干渉することなく作業することができる。
【００１５】
請求項５に記載の内壁枠取付冶具によると、固定具は、柱材に沿って複数設けられており、カバー体は、複数の前記固定具を一度に覆うことができる長さを有するので、内壁枠取付冶具を上下方向に移動させることなく、内壁枠を上部から下部まで一度に固定具の間にはめ込むことができ、内壁枠の取り付け作業をより効率的にすることができる。
【図面の簡単な説明】
【００１６】
【図１】内壁枠取付冶具の外観構成を示す斜視図。
【図２】内壁枠取付冶具を用いて、内壁枠を柱材に固定する状態を示す一部拡大断面図。
【図３】内壁枠取付冶具を柱材に当接させる状態を示す斜視図。
【図４】内壁枠取付冶具を柱材に当接させた状態を示す斜視図。
【図５】内壁枠取付冶具を柱材に当接させた状態を示す一部拡大断面図。
【図６】内壁枠を一対の柱材にそれぞれ固定されている固定具の間にはめ込む状態を示す斜視図。
【図７】内壁枠を一対の柱材にそれぞれ固定されている固定具の間にはめ込む状態を示す一部拡大断面図。
【図８】内壁枠を一対の柱材にそれぞれ固定されている固定具の間にはめ込んだ状態を示す斜視図。
【発明を実施するための形態】
【００１７】
以下、本発明に係る内壁枠取付冶具１の最良の実施形態について、各図を参照しつつ説明する。内壁枠取付冶具１は、図２に示すように、外壁２を支持する一対の柱材３ａ，３ｂの屋内側に固定具４をそれぞれ設け、当該固定具４の間に予め断熱材５が取り付けられた内壁枠をはめ込んで、前記固定具４に前記内壁枠６の端部を固定する際に用いられるものである。外壁２は、例えばサイディングボードなどの外壁パネルが挙げられるが、モルタルや漆喰、土壁などの湿式の外壁２であってもよい。また、柱材３ａ，３ｂは、本実施形態においては軸組の構成材のうち、鉛直方向に延びる左右一対の鋼材である。軸組は、左右一対の柱材３ａ，３ｂ及び図示しない上弦材、下弦材を方形枠状に組み付けて矩形枠状に構成されている。柱材３ａ，３ｂ及び上弦材、下弦材は、例えばリップ溝型鋼からなり、それら開放部分が枠内方向を向くようにして組み付けられている。なお、本発明の柱材３ａ，３ｂは軸組の構成材に限定されるものではなく、土台や梁などに垂直に固定される柱材３ａ，３ｂであってもよい。
【００１８】
固定具４は、図２に示すように、柱材３ａ，３ｂの屋内側に配設される固定具本体４１と、柱材３ａ，３ｂと固定具本体４１とを挟み込んで固定する長手形状の止め付け部材４２と、内壁枠６の側端部６ａ，６ｂを固定具本体４１に押し付け固定するための押し付け部材４３とを備えている。固定具４は、その固定具本体４１と押し付け部材４３とで、内壁枠６の側端部６ａ，６ｂを挟んで、内壁枠６を柱材３ａ，３ｂに固定している。
【００１９】
内壁枠取付冶具１は、図１及び図２に示すように、長手四角柱状に形成されており、内壁枠６を柱材３ａ，３ｂに固定する際に、当該柱材３ａに沿って当接した状態に保持されて、内壁枠６を一対の柱材３ａ，３ｂの屋内側にそれぞれ設けられた固定具４の間にガイドするものである。内壁枠取付冶具１は、長手四角柱状に形成されており、柱材３ａに対向する側の面の上下及び中間部に突出する脚部１１が設けられた本体部１２と、本体部１２の柱材３ａに対向する面と反対側の面に固定されており、且つ、本体部１２から内壁枠６が配置される側に向かって延出しており、固定具４の屋内側を覆うカバー体１３と、を備えている。
【００２０】
本体部１２の脚部１１には、それぞれ永久磁石１４が埋め込まれており、その磁力により、脚部１１が鋼製の柱材３ａに当接した状態を保持する。これにより、作業者が内壁枠取付冶具１を手で持って支え続けることなく、内壁枠取付冶具１を柱材３ａに当接させた状態を維持することができ、作業者の負担を軽減できる。また本体部１２のカバー体１３が延出する側と反対側には、把持部１５が固定されている。把持部１５は、作業者が把持可能な円柱形状であり、本体部１２の長手方向の中央付近に固定されている。
【００２１】
カバー体１３は、例えば金属製の薄板を屈曲させて形成したものであり、本体部１２の柱材３ａに対向する面と反対側の面に一部が埋設されて固定される基端部１３ａと、基端部１３ａから屈曲して、内壁枠６が配置される側に向かって延びており、固定具４の屋内側を覆うように設けられる傾斜部１３ｂと、傾斜部１３ｂから屋外方向に屈曲して設けられる先端部１３ｃとを有している。傾斜部１３ｂは、先端部１３ｃ側が屋外方向に向かうように傾斜している。すなわち、傾斜部１３ｂは基端部１３ａ側よりも先端部１３ｃ側が外壁２に接近するように、外壁２面に対して傾斜しており、屋内側から固定具４の間に内壁枠６をはめ込む際に、内壁枠６の側端部６ａが傾斜部１３ｂに接触した場合に、内壁枠６の側端部６ａは当該内壁枠６の内側に向かうように形成されている。カバー体１３は、柱材３ａに沿って鉛直方向に複数設けられている全ての固定具４の屋内側を覆うことができる長さを有しており、内壁枠取付冶具１を柱材３ａに当接させると、上下方向に移動させることなく、内壁枠６を上部から下部まで一度に固定具４の間にはめ込むことができる。
【００２２】
内壁枠６を施工する際には、まず、作業者は、図３に示すように、左右一対の柱材３ａ，３ｂにそれぞれ複数の固定具４を固定する。そして、作業者は、図３から図５に示すように、内壁枠取付冶具１の把持部１５を把持して、一方の柱材３ａの固定具４を挟んで内壁枠６を設置する位置と反対側の位置に内壁枠取付冶具１の本体部１２を当接させる。内壁枠取付冶具１の本体部１２には、柱材３ａと当接する脚部１１に磁石１４が設けられているので、鋼製の柱材３ａに脚部１１を当接させることで、内壁枠取付冶具１は、作業者が手を離しても柱材３ａに当接した状態を維持する。
【００２３】
次いで、図６に示すように、左右一対の柱材３ａ，３ｂのうち、内壁枠取付冶具１を当接させていない側の柱材３ｂと当該柱材３ｂに固定した固定具４と、内壁枠６の一方の側端部６ｂを接触させる。そして、図６及び図７に示すように、内壁枠６の一方の側端部６ｂを中心にして、内壁枠６を回転させて、図８に示すように、内壁枠６を左右一対の柱材３ａ，３ｂにそれぞれ設けられた固定具４の間にはめ込む。このとき、内壁枠６の他方の側端部６ａ側の柱材３ａには、内壁枠取付冶具１が当接されているので、この内壁枠取付冶具１のカバー体１３によって、固定具４の屋内側が覆われており、内壁枠６の他方の側端部６ａが固定具４に接触することがなく、内壁枠６及び当該内壁枠６からはみ出した断熱材５が固定具４に接触して破損することを防止できる。
【００２４】
内壁枠取付冶具１のカバー体１３は、一方の柱材３ａの全ての固定具４の屋内側を覆うことができる長さを有しているので、内壁枠取付冶具１を上下方向に移動させることなく、内壁枠６の上部から下部までを一度に固定具４の間にはめ込むことができる。内壁枠６を固定具４の間にはめ込むと、その後、内壁枠６を固定具本体４１に押し付け固定する押し付け部材４３を止め付け部材４２の屋内側の端部に固定して、固定具本体４１と押し付け部材４３とで、内壁枠６の側端部６ａ，６ｂを挟んで、内壁枠６を柱材３ａ，３ｂに固定する。
【００２５】
以上のように、内壁枠取付冶具１は、カバー体１３によって、固定具４の屋内側を覆った上体で、内壁枠６を固定具４の間にはめ込むので、このカバー体１３によって、内壁枠６に取り付けられた断熱材５が、固定具４に接触することを防ぐことができ、断熱材５が損傷することなく、内壁枠６を固定具４に取り付けることができる。そして、カバー体１３は、内壁枠６が設置される方向が屋外側に接近するように外壁２に対して傾斜する傾斜面を有しているので、内壁枠６を固定具４の間にはめ込む作業の際に、傾斜面がガイドとなってより容易に内壁枠６を固定具４の間にはめ込むことができ、内壁枠６からはみ出ている断熱材５は、傾斜面によって内壁枠６の枠内方向に抑えられるので、作業者が手で断熱材５を押さえることなく、内壁枠６を固定具４の間にはめ込んで固定することができる。
【００２６】
また、本実施形態の内壁枠取付冶具１は、内壁枠取付冶具１の本体部１２の脚部１１に磁石１４が埋設されているので、、磁力により本体部１２を鋼製の柱材３ａに当接させた状態を維持することができ、作業者が内壁枠取付冶具１の把持部１５から手を離して作業することができ、作業者の負担を軽減できる。
【００２７】
なお、本発明の実施の形態は上述の形態に限ることなく、本発明の思想の範囲を逸脱しない範囲で適宜変更することができることは云うまでもない。
【産業上の利用可能性】
【００２８】
本発明に係る内壁枠取付冶具１は、例えば住宅の外壁２を支持する軸組の屋内側に設けられる内壁枠６を取り付ける際に用いる内壁枠取付冶具１として好適に用いることができる。
【符号の説明】
【００２９】
１        内壁枠取付冶具
２        外壁
３ａ，３ｂ  柱材
４        固定具
５        断熱材
６        内壁枠
１２      本体部
１３      カバー体
【図１】
0006007946.tif 000002
【図２】
0006007946.tif 000003
【図３】
0006007946.tif 000004
【図４】
0006007946.tif 000005
【図５】
0006007946.tif 000006
【図６】
0006007946.tif 000007
【図７】
0006007946.tif 000008
【図８】
0006007946.tif 000009